(57)【要約】【課題】コードレス電話機の親機設置時、および、コードレス電話機の子機使用時の両方で受信電界強度を確認できる無線通信コードレス電話システムおよび無線通信電界強度表示方法を提供することを目的とする。【解決手段】無線通信基地局１０１と、前記無線通信基地局１０１と無線通信で接続し、かつ、無線通信で無線通信コードレス電話子機１０３と接続する無線通信コードレス電話親機１０２と、前記無線通信コードレス電話親機１０２と無線通信で接続する無線通信コードレス電話子機１０３、とからなる無線通信コードレス電話システムにおいて、前記無線通信コードレス電話親機１０２における前記無線通信基地局１０１からの受信電界強度を前記無線通信コードレス電話親機１０２と前記無線通信コードレス電話子機１０３の両方の装置で表示する。【選択図】図１
2010021685.tif 000002
【特許請求の範囲】
【請求項１】
無線通信基地局と、前記無線通信基地局と無線通信で接続し、かつ、無線通信で子機と接続する無線通信コードレス電話親機と、前記無線通信コードレス電話親機と無線通信で接続する無線通信コードレス電話子機、とからなる無線通信コードレス電話システムにおいて、前記無線通信コードレス電話親機における前記無線通信基地局からの受信電界強度を前記無線通信コードレス電話親機と前記無線通信コードレス電話子機の両方の装置で表示する、ことを特徴とした無線通信コードレス電話システム。
【請求項２】
請求項１記載の無線通信コードレス電話システムの前記無線通信コードレス電話親機において、前記無線通信基地局から受信した無線信号の受信電界強度を測定する受信電界強度処理部と、前記受信電界強度処理部で処理された受信電界強度を表示する受信電界強度表示部と、前記受信電界強度処理部で処理された受信電界強度を前記無線通信コードレス電話子機に送信するための所定のデータフォーマットを生成するための制御部と、を具備することを特徴とした無線通信コードレス電話親機。
【請求項３】
請求項１記載の無線通信コードレス電話システムの前記無線通信コードレス電話子機において、前記無線通信コードレス電話親機から送信された無線信号を受信する受信部と、前記受信部で受信した無線信号から前記無線通信コードレス電話親機で測定された受信電界強度を取得する制御部と、前記取得した受信電界強度を表示する表示部と、を具備することを特徴とした無線通信コードレス電話子機。
【請求項４】
前記無線通信コードレス電話親機から送信された無線信号の受信電界強度を無線通信コードレス電話子機で表示し、かつ、前記受信電界強度を無線通信コードレス電話親機に無線伝送し、前記受診電界強度を無線通信コードレス電話親機で表示する、ことを特徴とする請求項１記載の無線通信コードレス電話システム。
【請求項５】
請求項４記載の無線通信コードレス電話システムの前記無線通信コードレス電話親機において、複数の子機から送信された受信電界強度の最も小さい受信電界強度を表示する、ことを特徴とした無線通信コードレス電話親機。
【請求項６】
請求項４記載の無線通信コードレス電話システムの前記無線通信コードレス電話親機において、複数の子機から送信された受信電界強度の平均値を表示する、ことを特徴とした無線通信コードレス電話親機。
【請求項７】
請求項４記載の無線通信コードレス電話システムの前記無線通信コードレス電話子機において、前記無線通信コードレス電話親機から送信された無線信号を受信する受信部と、前記無線信号から受信電界強度を生成する受信電界強度処理部と、前記受信電界強度処理部で生成された受信電界強度を表示する表示部と、前記受信電界強度を無線送信するための所定のフォーマットを生成する制御部と、前記受信電界強度を送信する送信部と、を具備することを特徴とした無線通信コードレス電話子機。
【請求項８】
請求項４記載の無線通信コードレス電話システムの前記無線通信コードレス電話親機において、前記無線通信コードレス電話子機で測定した受信電界強度を含む無線信号を受信する受信装置と、前記無線信号から受信電界強度を取得する制御部と、前記制御部で取得された受信電界強度を表示する表示装置と、を具備することを特徴とした無線通信コードレス電話親機。
【請求項９】
請求項１記載の無線通信コードレス電話システムの前記無線通信コードレス電話親機において、前記基地局から送信された無線信号の受信電界強度を測定する受信電界強度処理部と、前記受信電界強度と所定の閾値を比較し、閾値以下の場合は圏外信号を生成する制御部と、前記圏外信号を送信する送信部と、を具備することを特徴とする無線通信コードレス電話親機。
【請求項１０】
請求項１記載の無線通信コードレス電話システムの前記無線通信コードレス電話子機において、圏外信号を含む前記無線通信コードレス電話親機から送信された無線信号を受信する受信部と、受信した無線信号から圏外信号を取得する制御部と、圏外であることを表示する表示部と、を具備することを特徴とした無線通信コードレス電話子機。
【請求項１１】
前記受信電界強度表示部は、受信電界強度の状態をＬＥＤの色の違いで表示することを特徴とした請求項２記載の無線通信コードレス電話親機。
【請求項１２】
無線通信基地局と、前記無線通信基地局と無線通信で公衆網に接続し、かつ、無線通信で子機と接続する無線通信コードレス電話親機と、前記無線通信コードレス電話親機と無線通信で接続する無線通信コードレス電話子機、とからなる無線通信コードレス電話システムの前記無線通信コードレス電話親機が、前記無線通信基地局から受信した無線信号の受信電界強度を測定し、前記受信電界強度処理部で処理された受信電界強度を表示し、また、前記受信電界強度処理部で処理された受信電界強度を前記無線通信コードレス電話子機に送信するための所定のデータフォーマットを生成し、生成された前記データフォーマットを送信し、前記無線通信コードレス電話子機が、前記無線通信コードレス電話親機から送信された無線信号を受信し、受信した無線信号から受信電界強度を取得し、前記取得した受信電界強度を表示する、ことを特徴とした無線通信電界強度表示方法。
【発明の詳細な説明】
【技術分野】
【０００１】
本発明はコードレス電話に関し、特にセルラ無線通信システムによって公衆網に接続されるコードレス電話に関するものである。
【背景技術】
【０００２】
音声通信、データ通信が可能な電話システムは、有線、無線を含む様々な通信方式、通信プロトコルによってサービスが提供されている。
【０００３】
有線接続の形態では、アナログ電話サービス回線や総合デジタルネットワークサービス（ＩＳＤＮ）回線などのサービスが提供されている。一方、無線接続の形態では、一般にセルラと呼ばれるＧＳＭ、ｃｄｍａ、ＰＨＳ、Ｗ−ＣＤＭＡなどの無線通信サービスや、衛星電話などのサービスが提供されている。
【０００４】
ユーザが使用する端末形態としては、有線電話網では据え置き型電話端末、コードレス端末、無線通信網では携帯電話端末などが一般的である。
【０００５】
またセルラ通信の送受信機とＲＪ１１などのインターフェースを有し、公衆網へはセルラ通信で接続し、ユーザは据え置き型端末もしくはコードレス電話の親機を接続して使用する形態のセルラ通信機器も使用されている。
【０００６】
これは、有線接続で公衆網に接続するのではなく、セルラ通信を用いて公衆網に接続する形態を採るため、有線電話網が未整備の地域で固定電話を利用する際に、有線網構築のためのインフラ整備のコストを削減できるメリットがある。
【０００７】
また、このような構成の場合、セルラ送受信装置を自宅の窓際などの電波状態が良好な位置に固定的に設置して使用できるため、自宅内に存在するセルラ通信の不感地帯を解消する効果も得られる。
【０００８】
このようなセルラ通信において、特許文献１記載に開示されているような受信電界強度表示を端末に設けることが一般的である
【特許文献１】特開２００２−３７４５７４号公報
【発明の開示】
【発明が解決しようとする課題】
【０００９】
従来の携帯電話には電界強度が表示され、ユーザはその端末の画面に表示される電界強度に基づいて通信品質を確認していた。
【００１０】
しかし、セルラ通信で公衆網に接続し、さらに無線接続されたコードレス子機を有するコードレス電話機の構成では、コードレス親機にのみセルラ通信の受信電界強度を表示した場合、コードレス親機と離れた場所で通話していると、セルラ通信の受信電界強度を確認できない課題がある。
【００１１】
また、コードレス子機のみに受信電界強度を表示した場合、親機設置時に子機を見ながら設置作業を行う必要があり、設置作業が煩雑になってしまう課題がある。
【課題を解決するための手段】
【００１２】
本発明の無線通信コードレス電話システムでは、コードレス親機およびコードレス子機の両方にセルラ通信の受信電界強度を表示させる構成を採る。
【発明の効果】
【００１３】
本発明の無線通信コードレス電話システムによれば、コードレス親機設置時には、コードレス親機で表示される受信電界強度を確認しながら、通信環境が最適な位置にコードレス親機を設置することができる。
【００１４】
また、親機から離れた場所、例えば親機が設置されている部屋とは別の部屋などで、コードレス子機を使用して発着信、通話などを行う場合、親機で表示されている電界強度を確認することなく、子機のみで確認することが可能となる。
【発明を実施するための最良の形態】
【００１５】
本発明の骨子は、セルラ無線通信網に無線通信接続するコードレス電話において、セルラ通信網からの受信電界強度をコードレス電話の親機、子機の双方に表示することにある。以下、本発明の具体的な内容について実施の形態１〜３を用いて説明する。
【００１６】
（実施の形態１）
図１は、本発明の無線通信コードレス電話システムの実施の形態１の構成図である。
【００１７】
無線通信コードレス電話システムは、１０１の無線通信基地局（以下、基地局と記載）、１０２の無線通信コードレス電話親機（以下、親機と記載）、１０３の無線通信コードレス電話子機（以下、子機と記載）で構成されている。
【００１８】
１０１の基地局は、一般的には数ｋｍから数十ｋｍのマクロセルと呼ばれる通信エリアを構成し、そのエリアに在圏する無線通信端末装置と、ＧＳＭやｃｄｍａなど（１０４）の通信方式で、音声、データなどの無線通信を行う。また、在圏する無線通信端末装置への着信通知などの制御信号のやり取りも行う。親機１０２は、基地局１０１と無線通信によって音声、データなどのやり取りを行い、公衆網に接続している。
【００１９】
一方、親機１０２は、ＤＥＣＴ、無線ＬＡＮ、Ｂｌｕｅｔｏｏｔｈなど（１０５）の通信方式を使って、一般的には数ｍから数百ｍのマイクロセルを構成し、その通信エリアに在圏する子機１０３と無線通信を行う。
【００２０】
さらに、親機１０２は、基地局１０１からの無線通信１０４の受信電界強度を表示する受信電界強度表示部１０６を持つ。
【００２１】
子機１０３は、通話時の音声、メールなどのデータを親機１０２と無線通信する。ひとつの親機１０２に接続する子機１０３は、複数台で構成することも可能である。さらに、子機１０３は、親機１０２で測定された基地局１０１からの無線通信１０４の受信電界強度を表示する受信電界強度表示部１０７を持つ。
【００２２】
親機１０２は、宅内の窓際、外壁面そば等の基地局１０１からの電波の受信環境が良好な位置に半固定的に設置して使用することが想定される。そのため、親機１０２を使用する際に、まず、基地局１０１からの無線通信１０４の電界強度を受信電界強度表示部１０６で確認しながら設置作業を行う。もし、親機１０２に受信電界強度表示部１０６が無い場合は、子機１０３の受信電界強度表実１０７を目視確認しながらの設置作業となるため、設置する親機１０２およびその周辺の設置場所を同時に目視確認することが難しく、設置作業が煩雑になってしまう。
【００２３】
一方、子機１０３は、親機１０２が設置されている同一の部屋内での使用の他、親機１０２から壁などで隔てられた他の部屋での使用も想定される。その際、基地局１０１からの親機１０２間の無線通信１０４の受信電界強度を受信電界強度表示部１０７で確認することが可能である。もし、子機１０３に受信電界強度表示部１０７が無い場合は、親機１０２における基地局１０１からの受信電界強度を、親機１０２の設置場所に移動し、受信電界強度表示部１０６で確認しなければならなくなってしまう。
【００２４】
図２は、図１の無線通信コードレス電話システムの親機のブロック図である。
【００２５】
親機１０２は、基地局１０１と無線通信を行うマクロセル通信部２０１と、子機１０３と無線通信を行うマイクロセル通信部２０２とに大別される。
【００２６】
マクロセル通信部２０１は、２０３のアンテナ部、２０４のアンテナ共用部、２０５の受信部、２０６の送信部、２０７の電界強度処理部、２０８の受信電界強度表示部とから構成される。一方、マイクロセル通信部２０２は、２０９のアンテナ部、２１０のアンテナ共用部、２１１の受信部、２１２の送信部とで構成される。
【００２７】
さらに、２１３の制御部は、マクロセル通信部２０１およびマイクロセル通信部２０２の各機能ブロックの制御や、マクロセル通信部２０１で受信したデータを予め定められたデータフォーマットに変換し、マイクロセル通信部２０２に送る、また逆にマイクロセル通信部２０２で受信したデータを予め定められたデータフォーマットに変換し、マクロセル通信部２０１に送る機能を有する。
【００２８】
マイクロセル通信部２０１では、アンテナ部２０３は、基地局１０１との無線送受信を行う。アンテナ共用部２０４は、アンテナ部２０３での無線送信、無線受信を１本のアンテナで行うために、送信信号と受信信号を分離する機能を持つ。受信部２０５は、基地局１０１からの制御信号やユーザデータ等の復調、復号処理などの受信処理を行う。送信部２０６は、制御信号やユーザデータ等の符号化、変調処理などの送信処理を行う。
【００２９】
一方、マイクロセル通信部２０２では、アンテナ部２０９は、子機１０３との無線送受信を行う。アンテナ共用部２１０は、アンテナ部２０９での無線送信、無線受信を１本のアンテナで行うために、送信信号と受信信号を分離する機能を持つ。受信部２１１は、子機１０３からの制御信号やユーザデータ等の復調、復号処理などの受信処理を行う。送信部２１２は、制御新語やユーザデータ等の符号化、変調処理などの送信処理を行う。
【００３０】
次に、親機１０２を介して、基地局１０１から子機１０３へデータを送信する流れを説明する。
【００３１】
基地局１０１から送信されたユーザデータを含む無線信号は、親機１０２のアンテナ部２０３で受信する。受信された無線信号はアンテナ共用部２０４で送信信号と分離され受信部２０５に送られる。受信部２０５では受信した無線信号に対して復調、復号処理等の受信処理を行い、受信データを生成し、制御部２１３へと送る。制御部２１３では受信データのデータフォーマット変換を行い、送信データを生成し、送信部２１２へ送る。
【００３２】
制御部２１３でのデータフォーマット変換は、受信データを送信データのデータ長に変換する、所定のヘッダを付与するなどの処理を指す。
【００３３】
送信データを受信した送信部２１２は、符号化、変調処理等の送信処理を行い、アンテナ共用部２１０へと送る。アンテナ共用部２１０では受信データと分離し、アンテナ部２０９へ無線信号を送り、アンテナ部２０９を介して子機１０３へと無線送信される。
【００３４】
逆に、親機１０２を介して、子機１０３から基地局１０１へデータを送信する流れは、基地局１０１から子機１０３へデータを送信する流れの逆の経路、すなわち、アンテナ部２０９、アンテナ共用部２１０、受信部２１１、制御部２１３、送信部２０６、アンテナ共用部２０４、アンテナ部２０３の流れで同様の処理が行われる。
【００３５】
次に、基地局１０１からの信号の親機１０２での受信電界強度を表示するための制御について説明する。
【００３６】
まず、既知信号系列、すなわち、受信側である親機１０２側で受信周波数帯、受信タイミング、受信データ系列等が既知である信号を基地局１０１から送信する。既知信号系列を含む制御信号を親機１０２のアンテナ部２０３で受信すると、アンテナ共用部２０４を介して受信部２０５に送られる。受信部２０５では、既知信号系列を参照して受信電界強度を測定し、受信電界強度処理部２０７へ送る。受信電界強度処理部２０７では、受信電界強度の移動平均算出処理を一定周期で行い、その結果を受信電界強度表示部２０８に送り、受信電界強度表示部２０８に受信電界強度が表示される。
【００３７】
また、受信電界強度処理部２０７での算出結果は、制御部２１３で、子機１０３向けの送信信号に重畳され、送信部２１２、アンテナ共用部２１０、アンテナ部２０９を介して、子機１０３へ送信される。これを受信した子機１０３で、電界強度を表示する。
【００３８】
図８は、受信電界強度情報の送信データフォーマットを示す模式図である。
【００３９】
８０１はヘッダ部で、無線通信に必要な一般的なヘッダ情報が含まれている。
【００４０】
８０２は受信電界強度情報で、具体的には親機１０２で測定された受信電界強度（−３６．５［ｄＢｍ］）などの値である。子機１０３では、受信した受信電界強度８０２を使って親機とは異なる独自の受信電界強度の表示が可能である。
【００４１】
８０３は電界強度レベルで、親機１０２で測定した受信電界強度から算出した電界強度レベルが含まれている。具体的には、０〜３で表された数値であり、受信電界強度を圏外、弱、中、強などで表している。子機１０３は、受信した電界強度レベル８０３を用いて、親機と同一の電界強度を表示することができる。
【００４２】
図３は、図１の無線通信コードレス電話システムの子機のブロック図である。
【００４３】
子機１０３は、３０１のマイクロセル無線送受信用アンテナ部、３０２のアンテナ共用部、３０３の受信部、３０４の送信部、３０５の制御部、３０６のマイク、３０７のキー、３０８の表示部、３０９のスピーカーで構成される。
【００４４】
アンテナ部３０１、アンテナ共用部３０２、受信部３０３、送信部３０４は、親機１０２におけるアンテナ部２０９、アンテナ共用部２１０、受信部２１１、送信部２１２と同等の機能を持つ。
【００４５】
制御部３０５では、受信部３０３から送られた音声信号、テキスト情報などに所定の処理を施し、表示部３０８やスピーカー３０９に送る処理を行う。また、制御部３０５では、マイク３０６で入力された音声信号や、キー３０７で入力されたテキスト情報などに所定の処理を施し、送信部３０４へ送る処理も行う。
【００４６】
親機１０２から送信された音声信号やテキスト情報を含む無線信号１０５をアンテナ部３０１で受信した子機１０３では、アンテナ共用部３０２で送信信号と分離し、受信部３０３、制御部３０５を介して、スピーカー３０９で音声が、表示部３０８でテキスト情報をそれぞれ出力する。
【００４７】
また、マイク３０６で入力された音声信号や、キー３０７で入力されたテキスト情報は、制御部３０５に送られ所定の処理を施した後、送信部３０４、アンテナ共用部３０２、アンテナ部３０１を介して無線信号１０５で親機１０２に送られる。
【００４８】
また、親機１０２から送られたマクロセル無線通信の受信電界強度は、アンテナ部３０１、受信部３０３を介して制御部３０５に送られる。制御部３０５では、受信した受信電界強度を表示部３０８に送り、表示部３０８で受信電界強度を表示する。
【００４９】
以上のように、親機１０２で測定したマクロセル無線通信の受信電界強度を、親機１０２および子機１０３の双方で表示させることにより、親機１０２の設置時には親機１０２の受信電界強度表示１０６を、通常の子機１０３使用時は子機１０３の受信電界強度表示１０７を、それぞれ参照でき、良好な通信環境が得られる。
【００５０】
なお、親機１０２の受信電界強度の表示形式は、移動通信端末に一般的なアンテナ本数での表示の他に、ＬＥＤによる色の表示でも良い。例えば、圏外の場合は赤色、圏内弱受信電界強度の場合は黄色、圏内中受信電界強度の場合は緑色、圏内強受信電界強度の場合は青色などである。
【００５１】
これは、親機１０２を室内壁面の高い位置に設置する場合などでは、親機１０２の電界強度表示が遠く、見にくい角度になってしまう、等の問題が発生する場合があり、そのような場合に受信電界強度を色の違いで表示することで一見して受信電界強度を確認することが可能となる。
【００５２】
（実施の形態２）
図４は、本発明の無線通信コードレス電話システムの実施の形態２の構成図である。ただし、図１と同一構成部分は、図１と同一の参照番号を付与している。
【００５３】
図４における親機１０２では、マクロセル無線通信の受信電界強度表示１０６に加えて、子機１０３で測定されたマイクロセル無線通信の受信電界強度を受信電界強度表示４０１で表示する。
【００５４】
これは、良好な通信環境を確保するためには、親機１０２における基地局１０１からの受信電界強度と、子機１０３における親機１０２からの受信電界強度が両方共に一定レベルを満たしていなければならない。そこで、親機１０２ではマクロセル無線通信、マイクロセル無線通信の両方の受信電界強度を表示することにより、親機１０２の設置時に両方の通信環境が確認できる。
【００５５】
また、図４における子機１０３では、親機１０２で測定されたマクロセル受信電界強度表示１０７に加えて、子機１０３で測定されたマイクロセル無線通信の受信電界強度を受信電界強度表示４０２で表示する。
【００５６】
これにより、通常の音声通話、データ通信を行う際に、マクロセル無線通信およびマイクロセル無線通信の双方の通信環境が確認できる。
【００５７】
ここでは、親機１０２および子機１０３において、マクロセル無線通信の親機１０２における受信電界強度を親機１０２の受信電界強度表示１０６および子機１０３の受信電界強度表示１０７でそれぞれ表示するのに加えて、子機１０３で測定されたマイクロセル無線通信の受信電界強度を子機１０３の受信電界強度表示４０２、および、子機１０３から親機１０２に送信し、親機１０２の受信電界強度表示４０１、の双方で表示する構成を採る。
【００５８】
図５は、図４の無線通信コードレス電話システムの親機のブロック図である。ただし、図２と同一構成部分は、図２と同一の参照番号を付与している。
【００５９】
子機１０３から送信された、子機１０３におけるマイクロセル無線通信の受信電界強度が重畳された無線信号は、親機１０２において、アンテナ部２０９で受信され、受信部２１１で所定の処理が施され制御部２１３に送られる。さらに、制御部２１３から受信電界強度表示５０１に送られ、表示される。
【００６０】
図６に、図４の無線通信コードレス電話システムの子機のブロック図である。ただし、図３と同一構成部分は、図３と同一の参照番号を付与している。
【００６１】
まず、親機１０２から子機１０３で既知の信号が重畳された制御信号が送信される。その制御信号はアンテナ部３０１で受信され、アンテナ共用部３０２を介して受信部３０３で受信される。受信部３０３では既知信号から受信電界強度を測定し、測定結果を受信電界強度処理部６０１に送る。
【００６２】
受信電界強度処理部６０１では、受信部３０３から送られる受信電界強度の移動平均を一定周期で算出する。算出された受信電界強度の移動平均値は、表示部３０８へ送られ表示される。また、制御部３０５へ送られる。
【００６３】
制御部３０５では、マイク３０６から入力された音声信号やキー３０７で入力されたテキスト情報などに、受信電界強度の移動平均値を重畳し、送信部３０４へ送る。以下、アンテナ共用部３０２、アンテナ部３０１を介して親機１０２へと送信される。
【００６４】
また、親機１０２に対して複数の子機１０３が通信可能な状態にある場合、複数の子機から受信した受信電界強度は制御部２１３において、子機間の平均値や、子機の中で最も受信電界強度が低い値等を算出し、その値を受信電界強度表示部５０１で表示しても良い。
【００６５】
（実施の形態３）
ここでは、マクロセル無線通信の受信電界強度が圏外の時のみ子機１０３で表示する場合の処理について説明する。
【００６６】
図７に、本発明の無線通信コードレス電話システムの実施の形態３の制御フローチャートを示す。
【００６７】
制御部２１３における処理が開始されると（ＳＴＥＰ１）、まず、受信電界強度処理部２０７から受信電界強度を取得する（ＳＴＥＰ２）。次に、取得した受信電界強度が予め定められた閾値と比較して、閾値よりも大きい場合は圏内、閾値よりも小さい場合は圏外と判定する（ＳＴＥＰ３）。
【００６８】
圏内と判定された場合は、次の受信電界強度取得処理（ＳＴＥＰ２）に戻り処理を継続する。
【００６９】
圏外と判定された場合は、さらに、受信電界強度が圏外である旨の信号を生成し、送信部２１２へと送る受信電界強度送信処理（ＳＴＥＰ４）を行い、次の受信電界強度取得処理（ＳＴＥＰ２）に戻り処理を継続する。
【００７０】
一方、子機１０３では、圏外の場合のみ受信電界強度圏外信号をアンテナ部３０１、アンテナ共用部３０２、受信部３０３を介して制御部３０５で取得する。受信電界強度圏外信号を受信した制御部３０５では、圏外である旨の表示を表示部３０８に指示し、表示部３０８で圏外表示される。
【００７１】
このように、親機１０２において受信電界強度が劣化した場合のみ子機１０３に圏外通知を行うことによって、子機１０３の受信処理負荷を軽減し、消費電力の軽減を図ることができる。
【産業上の利用可能性】
【００７２】
本発明にかかる無線通信コードレス電話システムおよび無線通信電界強度表示方法は、無線通信コードレス電話の親機、子機への利用が可能である。
【図面の簡単な説明】
【００７３】
【図１】本発明の無線通信コードレス電話システムの実施の形態１の構成図
【図２】図１の無線通信コードレス電話システムの親機のブロック図
【図３】図１の無線通信コードレス電話システムの子機のブロック図
【図４】本発明の無線通信コードレス電話システムの実施の形態２の構成図
【図５】図４の無線通信コードレス電話システムの親機のブロック図
【図６】図４の無線通信コードレス電話システムの子機のブロック図
【図７】本発明の無線通信コードレス電話システムの実施の形態３の制御フローチャート
【図８】受信電界強度情報の送信データフォーマットを示す模式図
【符号の説明】
【００７４】
１０１    無線通信基地局
１０２    無線通信コードレス電話親機
１０３    無線通信コードレス電話子機
１０６、１０７    受信電界強度表示部
２０１    マクロセル通信部
２０２    マイクロセル通信部
２０３    アンテナ部
２０４    アンテナ共用部
２０５    受信部
２０６    送信部
２０７    受信電界強度処理部
２０８    受信電界強度表示部
２０９    アンテナ部
２１０    アンテナ共用部
２１１    受信部
２１２    送信部
２１３    制御部
３０１    アンテナ部
３０２    アンテナ共用部
３０３    受信部
３０４    送信部
３０５    制御部
３０６    マイク
３０７    キー
３０８    表示部
３０９    スピーカー
４０１、４０２    電界強度表示部
５０１    受信電界強度表示部
６０１    受信電界強度処理部
【図１】
2010021685.tif 000003
【図２】
2010021685.tif 000004
【図３】
2010021685.tif 000005
【図４】
2010021685.tif 000006
【図５】
2010021685.tif 000007
【図６】
2010021685.tif 000008
【図７】
2010021685.tif 000009
【図８】
2010021685.tif 000010